(57)【要約】  トレッド（２）であって、トレッドは、トレッド表面（２０）及び複数の溝（２１）を有し、少なくとも１本の溝は、断面で見て、トレッド表面（２０）のところに位置する完全に開いた溝部分（２１０）及びトレッド表面（２０）のところに位置する完全に又は部分的に閉じられた部溝部分（２１１）を備える全体として波状に起伏した形状を有する、トレッド。タイヤは、開き溝部分（２１０）がトレッド内にコントラストを作るテクスチャ（３）を有し、テクスチャ（３）は、溝の表面から突き出た又は溝の表面中に引っ込められた複数の要素を有する。テクスチャ（３）は、閉じ溝部分（２１１）には存在しない。
2017507076.tif 000002
【特許請求の範囲】
【請求項１】
タイヤ（１）用のトレッド（２）であって、前記トレッドは、トレッド表面（２０）及び複数の溝（２１）を有し、少なくとも１本の溝は、断面で見て、前記トレッド表面（２０）のところに位置する完全に開いた溝部分（２１０）及び前記トレッド表面（２０）のところに位置する完全に又は部分的に閉じられた部溝部分（２１１）を備える全体として波状に起伏した形状を有する、トレッドにおいて、前記開き溝部分（２１０）は、前記トレッド内に位置したコントラストをなすテクスチャ（３）を有し、前記テクスチャ（３）は、前記溝の表面から突き出た又は前記溝の表面中に引っ込められた複数の要素（６，７，８，９，１０）を有し、前記テクスチャ（３）は、前記閉じ溝部分（２１１）には存在しない、トレッド。
【請求項２】
前記テクスチャ（３）の前記突出要素（６，７）の少なくとも３０％は、前記溝（２１）の表面に接する平面に対して４０°を超える角度αをなし、前記テクスチャ（３）の前記突出要素（６，７）の多くとも２５％は、前記接平面に対して２０°未満の角度αをなしている、請求項１記載のトレッド。
【請求項３】
前記突出要素の全て又は幾つかは、１平方ミリメートル（ｍｍ2）当たり少なくとも１つのストランドに等しい密度で前記テクスチャ（３）全体にわたって分布して設けられたストランド（６）であり、各ストランドは、０．００３ｍｍ2〜１ｍｍ2の平均断面積を有する、請求項１又は２記載のトレッド。
【請求項４】
前記突出要素の全て又は幾つかは、実質的に相互に平行な薄板（７）であり、前記テクスチャ中の前記薄板の間隔は、多くとも０．５ｍｍに等しく、各薄板は、０．０３ｍｍ〜０．２５ｍｍの平均幅を有する、請求項１〜３のうちいずれか一に記載のトレッド。
【請求項５】
前記突出要素の全て又は幾つかは、０．０５ｍｍ〜０．５ｍｍの辺長さ（Ｃ）及び０．０５ｍｍ〜０．５ｍｍの高さ（Ｈ）を有する平行六面体（８）を形成し、前記テクスチャ中の２つの隣り合う平行六面体相互間の距離は、０．０５ｍｍ〜０．５ｍｍである、請求項１〜４のうちいずれか一に記載のトレッド。
【請求項６】
前記突出要素（９）は、前記テクスチャ（３）中の突出要素相互間に不定の形状及び距離を有する、請求項１〜５のうちいずれか一に記載のトレッド。
【請求項７】
前記引っ込み要素（１０）は、前記溝（２１）の表面中に開口部（１１）を形成し、前記テクスチャ（３）は、複数の開口部（１１）を有し、前記開口部は、１平方ミリメートル（ｍｍ2）当たり少なくとも１つの開口部に等しい密度で前記テクスチャ（３）全体にわたって分布して設けられ、前記開口部は、０．０３ｍｍ〜１．２ｍｍの等価直径を有する、請求項１記載のトレッド。
【請求項８】
タイヤ（１）であって、請求項１〜７のうちいずれか一に記載のトレッド（２）を有する、タイヤ（１）。
【発明の詳細な説明】
【技術分野】
【０００１】
本発明は、タイヤ用のトレッドに関し、このトレッドは、トレッド表面及び複数の溝を有する。
【０００２】
本発明は又、かかるトレッドを有するタイヤに関する。
【背景技術】
【０００３】
タイヤのトレッドを成形するために、モールド内に固定された成形要素を用いることが慣例である。成形要素という用語は、タイヤのトレッドの一部を成形することができる成形面を備えたモールドの要素である。かくして、成形要素は、モールドのセグメントに取り付けられたブロックである場合があり、或いは、モールドの半径方向内面に取り付けられたリブである場合がある。
【０００４】
焼結（sintering）と通称されている選択的融解方法を用いて成形要素を作ることが可能である。この方法は、金属粉末を融解するためにエネルギーのビームを用いる。「エネルギーのビーム」は、電磁線（例えば、レーザビーム）又は粒子のビーム（例えば、電子ビーム）を意味している。
【０００５】
以下においてレーザ焼結方法というレーザを用いた焼結方法が欧州特許第１６４１５８０号明細書から知られている。この特許文献では、金属粉末の第１の層をプレート上に広げた状態で載せる。次に、粉末のこの第１の層の粒子の全て又は幾つかを得られるべき物体の形状に従ってレーザのビームで凝集させる。このステップがいったん完了すると、粉末の第２の層を粉末の第１の層上に広げて載せ、レーザを用いてこの第２の粉末層を選択的に融解するのが良い。層を広げて載せてレーザを用いて融解するこれら作業を繰り返すことによって、焼結された物体を層ごとに作り上げる。
【０００６】
かかる焼結物体が特に特許文献である欧州特許第０８６８９５５号明細書の図３に示されている。この図では、焼結物体の層状構造体が容易に識別され、かかる焼結物体は、タイヤ用のモールド内に取り付けられるようになった成形要素である。しかしながら、この層状構造体により、この構造体の鏡像であるレベル線又はラインがトレッドの溝内に見える。レベルラインのこうした現象は、モールドが曲線であるという性質を持っているので増強される。これらレベルラインはタイヤに見栄えの良くない外観を与える。
【０００７】
国際公開第２０１１／０３９１９４号パンフレットは、複数の溝を備えたトレッドを有するタイヤを開示している。各溝は、断面で見て、トレッド表面のところに完全に開いた溝部分を備えると共に閉じられた溝部分を備えている全体として波状に起伏した形状を有する。
【先行技術文献】
【特許文献】
【０００８】
【特許文献１】欧州特許第１６４１５８０号明細書
【特許文献２】欧州特許第０８６８９５５号明細書
【特許文献３】国際公開第２０１１／０３９１９４号パンフレット
【発明の概要】
【発明が解決しようとする課題】
【０００９】
波状に起伏した溝を備えるタイヤを成形するためのモールドを製造するためにレーザ焼結方法を用いることができるようにする一方で、このタイヤの外観を向上させようとする解決手段を提供することが要望されている。
【００１０】
定義
「タイヤ」は、内部圧力を受けるにせよそうでないにせよいずれにせよ、あらゆる形式の弾性トレッドを意味している。
【００１１】
「ゴム材料」は、ジエンエラストマー、即ち、知られているように、ジエンモノマー（モノマーは、２つの共役又は非共役炭素‐炭素二重結合を有する）を少なくとも部分的に主成分とする（即ち、ホモポリマー又はコポリマーである）エラストマーを意味している。
【００１２】
タイヤの「トレッド」は、側方の表面及び２つの主要な表面によって画定された或る量のゴム材料を意味し、２つの主要な表面のうち一方は、トレッド表面と呼ばれていて、タイヤが駆動されているときに路面に接触するようになっている。
【００１３】
「テクスチャ」は、１組の組織化された又は整然と並べられた要素を意味している。
【００１４】
タイヤの「サイドウォール」は、タイヤの側方の表面を意味し、この表面は、タイヤのトレッドとこのタイヤのトレッドのビードとの間に配置されている。
【００１５】
「ストランド」は、糸状の要素を意味し、この糸状要素の高さは、ストランドの平均断面積と同一の表面積を有する円板の直径の少なくとも２倍に等しい。
【００１６】
「薄板（薄板状要素）」は、長さが高さの少なくとも２倍に等しい細長いストランドを意味している。
【課題を解決するための手段】
【００１７】
本発明は、タイヤ用のトレッドであって、トレッドは、トレッド表面及び複数の溝を有し、少なくとも１本の溝は、断面で見て、トレッド表面のところに位置する完全に開いた溝部分及びトレッド表面のところに位置する完全に又は部分的に閉じられた部溝部分を備える全体として波状に起伏した形状を有する形式のトレッドに関する。開き溝部分は、トレッド内に位置したコントラストをなすテクスチャを有し、テクスチャは、溝の表面から突き出た又は溝の表面中に引っ込められた複数の要素を有する。テクスチャは、閉じ溝部分には存在しない。
【００１８】
このテクスチャにより、このテクスチャを有していないトレッド部分との視覚的コントラストを作ることができる。テクスチャが溝内に存在している場合、この視覚的コントラストは、タイヤの観察者にとってこの溝の深さを目立たせる。さらに、溝の開き部分にテクスチャを用いることによって、この溝内のレベルラインの存在が隠される。トレッドの特定の摩耗状態から始まって、閉じられた溝部分が開いている。テクスチャでこれら閉じられた溝部分を覆わないことによって、観察者には自分がトレッドの中間摩耗レベルに達したという視覚的指標が与えられる。この摩耗レベルでは、隠されていたチャネルがトレッドの表面のところで開き、次に、このトレッドは、別の動作段階に入る。
【００１９】
非限定的な一変形実施形態では、突出要素の少なくとも３０％は、溝に接する平面に対して４０°を超える角度αをなし、テクスチャの突出要素の多くとも２５％は、溝に接する平面に対して２０°未満の角度αをなしている。
【００２０】
このように、光を捕捉するテクスチャの能力が一段と向上する。
【００２１】
非限定的な一実施形態では、突出要素の全て又は幾つかは、１平方ミリメートル（ｍｍ2）当たり少なくとも１つのストランドに等しい密度でテクスチャ全体にわたって分布して設けられたストランドであり、各ストランドは、０．００３ｍｍ2〜１ｍｍ2の平均断面積を有する。
【００２２】
別の非限定的な実施形態では、突出要素の全て又は幾つかは、実質的に相互に平行な薄板（薄板状要素）であり、テクスチャ中の薄板の間隔は、多くとも０．５ｍｍに等しく、各薄板は、０．０３ｍｍ〜０．２５ｍｍの平均幅を有する。
【００２３】
別の非限定的な実施形態では、突出要素の全て又は幾つかは、０．０５ｍｍ〜０．５ｍｍの辺長さ及び０．０５ｍｍ〜０．５ｍｍの高さを有する平行六面体を形成し、テクスチャ中の２つの隣り合う平行六面体相互間の距離は、０．０５ｍｍ〜０．５ｍｍである。
【００２４】
別の非限定的な実施形態では、突出要素は、テクスチャ中の突出要素相互間に不定の形状及び距離を有する。
【００２５】
非限定的な一実施形態では、引っ込み要素は、溝の表面中に開口部を形成し、テクスチャは、複数の開口部を有し、開口部は、１平方ミリメートル（ｍｍ2）当たり少なくとも１つの開口部に等しい密度でテクスチャ全体にわたって分布して設けられ、開口部は、０．０３ｍｍ〜１．２ｍｍの等価直径を有する。
【００２６】
かくして、テクスチャは、耐久性が一層高い。具体的に説明すると、このテクスチャは、溝の表面中に引っ込められた要素で構成されているので、このテクスチャが石に当たって擦れた場合のテクスチャに対する衝撃度が減少する。
【００２７】
また、上述の特徴のうちの任意のものを備えたトレッドを有するタイヤが提案される。
【００２８】
本発明の他の特徴及び他の利点は、添付の図面を参照して非限定的な例により与えられる以下の説明から明らかになろう。
【図面の簡単な説明】
【００２９】
【図１】先行技術のトレッドを備えたタイヤの一部の概略斜視図である。
【図２】タイヤのトレッドの概略断面図であり、トレッドが本発明によるテクスチャを備えた溝を有する状態を示す図である。
【図３】特定のテクスチャを備えた図２のトレッドの溝の概略断面図である。
【図４】本発明の第１の実施形態に従って図２のテクスチャの一部を示す図である。
【図５】本発明の第２の実施形態に従って図２のテクスチャの一部を示す図である。
【図６】本発明の第３の実施形態に従って図２のテクスチャの一部を示す図である。
【図７】本発明の第４の実施形態に従って図２のテクスチャの一部を示す図である。
【図８】本発明の第５の実施形態に従って図２のテクスチャの一部を示す図である。
【図９】図８のテクスチャの引っ込み要素の空所の拡大図である。
【発明を実施するための形態】
【００３０】
以下の説明において、実質的に同一又は類似の要素は、同一の参照符号で示される。
【００３１】
図１は、先行技術によるトレッド２を備えたタイヤ１の一部を示している。理解できるように、トレッド２は、トレッド表面２０及び溝２１を有している。トレッド表面２０（有効領域とも呼ばれている）は、タイヤ１が駆動されているときに路面に接触するようになっている。溝２１（トレッドパターンとも呼ばれている）により、特に、水を排出し、それにより濡れた路面に対するタイヤ１のグリップを向上させることができる。用いられるレーザ焼結方法により、溝は、特にこれらの底部のところにレベルライン４を有する。図示の例では、レベルラインは、特に溝の底部のところに配置されている。
【００３２】
図２は、本発明の非限定的な実施形態によるタイヤ１のトレッド２の断面図である。トレッド２は、トレッド表面２０及び溝２１を有している。非限定的な一実施形態では、少なくとも１本の溝２１は、トレッド２の深さ中に全体として波形に起伏した形状を有する。別の非限定的な実施形態では、各溝２１は、トレッド２の深さ中に全体として波状に起伏した形状を有する。
【００３３】
図示のように、溝２１は、表面を有し、この溝は、断面で見て、トレッド表面２０のところに位置する完全に開いた溝部分２１０及びこのトレッド表面２０のところに位置した完全に又は部分的に閉じられた溝部分２１１を備える全体として波状に起伏した形状を有する。開き溝部分２１０は、トレッド内に位置したコントラストをなすテクスチャ３を有する。開き（又は外部の）溝部分２１０は、タイヤ１が新品状態であるときにトレッド表面２０上に開口し、閉じられた（又は内部の）溝部分２１１は、タイヤ１が新品状態であるときにトレッド２内でその深さ中に（即ち、トレッド表面２０の下に）配置されている。トレッド２が摩耗状態になると、或る特定の摩耗レベルで、これら閉じられた部分２１１がトレッド表面２０上に開口する。
【００３４】
注目されるように、閉じられた溝部分２１１は、トレッド表面２０の全てにわたり又はその一部にわたって閉じられている。具体的に説明すると、溝２１１は、図２に示されているようにトレッド２の深さ中に延びてトレッド表面２０上に開口しているスリット２１２を有する。このスリットは、溝の成形ネガ中の薄板（薄板状要素）に対応している。
【００３５】
非限定的な一実施形態では、テクスチャ３は、図２の非限定的な実施形態に示されているように閉じられた溝部分２１１には存在しない。
【００３６】
かくして、テクスチャ３がトレッド表面２０のところで開口した溝部分２１０にのみ用いられていることにより、新品状態では、この溝中のレベルラインの存在を隠すことができる。具体的に説明すると、或る特定の摩耗レベルでは、閉じられた部分２１１は、露出されることになり、すると、これら閉じられた部分中のレベルラインがタイヤの観察者に見えるようになる。
【００３７】
これにより、観察者は、トレッドが摩耗状態になって閉じ溝部分２１１を露出させると、開き溝部分２１０（これらは暗く見える）と閉じ溝部分２１１（これらは明るく見える）との差を視覚的に述べることができる。観察者は、自分のタイヤ１が摩耗していることを明確に理解することができる。
【００３８】
図３は、溝２１の断面図である。溝２１は、溝底部２１３、溝底部に横付けして設けられた壁２１４、及び壁２１４と溝底部２１３との間に位置する意向領域２１５（連結領域とも呼ばれている）を有し、これら移行領域２１５は、湾曲しており、非限定的な一例では約１ｍｍの半径を有する。注目されるように、テクスチャ３は、非限定的な一例では、拡大図において溝２１の底部２１３のところで及び移行領域２１５内に概略的に示されている。また、壁２１４は、ここでは、溝の底部２１３に垂直に延びる状態で示されていることに注目されよう。変形例では、この壁２１４は、底部２１３に対して９０°以外の角度をなしていても良い。
【００３９】
図３に示されている第１の非限定的な実施形態では、溝２１の全て又は幾つかは、溝底部２１３にわたり且つこの溝底部と関連した移行領域２１５の少なくとも一部にわたってしか延びていないテクスチャ３を有し、このテクスチャ３は、タイヤ１の残部とコントラストをなしている。「移行領域２１５の少なくとも一部」という表現は、テクスチャがこの移行領域２１５の表面の少なくとも２５％にわたって延びていることを意味している。テクスチャ３は、壁２１４にわたって延びているわけではない。かくして、テクスチャ３は、壁２１４には存在しない。この第１の実施形態は、溝２１の底部２１３のところに及び移行領域２１５内に配置されたレベルラインを隠す。これは、底部のところのこれらレベルラインがタイヤの観察者には特に見えるからである。
【００４０】
図２に示されている第２の非限定的な実施形態では、溝２１の全て又は幾つかは、溝２１の内部全体にわたって、即ち溝底部２１３にわたって、この溝底部と関連した移行領域２１５にわたって且つ溝の壁２１４にわたって延びるテクスチャ３を有し、このテクスチャ３は、タイヤ１の残部とコントラストをなしている。
【００４１】
かくして、テクスチャ３により、レベルラインを隠すことができる。さらに、テクスチャ３が溝２１内に設けられていることにより、このテクスチャ３に高い耐久性を与えることができる。具体的に説明すると、テクスチャに対する機械的攻撃、例えば石に対する擦りの衝撃度は、低い。
【００４２】
テクスチャ３の第１の非限定的な実施形態によれば、テクスチャ３は、溝の表面から突き出た複数の要素を有する。これら突出要素の作用効果は、テクスチャ３に当たる多量の入射光線を「捕捉」することにある。この第１の実施形態では、テクスチャ３（「ベルベット」と呼ばれる）により、「ベルベット」タイプの視覚的外観を得ることができる。と言うのは、突出要素が光を吸収し、かくして溝２１を黒くするからである。突出要素の構造により且つ突出要素が溝２１，２３内に「象眼細工又はインレイ」されていることにより、これら突出要素は、更に、水、泥及びダストを溝２１から容易に排出することができる。
【００４３】
非限定的な一実施形態によれば、テクスチャ３の突出要素の少なくとも３０％は、溝２１の表面（底部２１３の表面、移行領域２１５の表面、壁２１４の表面）に接する平面Ｘに対して４０°を超える角度αをなし、テクスチャの突出要素の多くとも２５％は、接平面Ｘに対して２０°未満の角度αをなしている。突出要素、この接平面Ｘ及び角度αは、図２においてテクスチャ３の拡大部に概略的に示されている。注目されるように、角度αは、接平面Ｘと突出要素の側部とのなす角度である。この変形例は、以下に説明する突出要素６，７に当てはまる。
【００４４】
図４は、第１の実施形態の第１の非限定的な実施形態としてのテクスチャ３を示している。この変形例では、突出要素の全て又は幾つかは、１平方ミリメートル（ｍｍ2）当たり少なくとも１本のストランドに等しい密度でテクスチャ３全体にわたって分布して配置されたストランド６であり、各ストランドは、０．００３ｍｍ2〜１ｍｍ2の平均断面積Ｓを有している。注目されるように、各ストランドの平均断面積は、ストランドの基部から一定間隔で測定された断面積Ｓの平均値に一致している。ストランド６は、これらストランドの高さＨｂにわたって減少する断面積を備えた全体として円錐形の形を有している。
【００４５】
図５は、第１の実施形態の第２の非限定的な実施形態としてのテクスチャ３を示している。この変形例では、突出要素の全て又は幾つかは、実質的に相互に平行な薄板（薄板状要素）７であり、テクスチャ中の薄板の間隔Ｐは、０．１ｍｍ〜０．５ｍｍであり、各薄板７は、０．０３ｍｍ〜０．２５ｍｍの平均幅を有している。注目されるように、平均幅は、薄板の高さＨｌにわたって一定間隔で測定された幅ｌの平均値に一致し、各薄板の高さは、０．０５ｍｍ〜０．５ｍｍである。
【００４６】
別の変形実施形態では、テクスチャは、ストランド６と薄板７の組み合わせを有する。
【００４７】
図６は、第１の実施形態の第３の非限定的な変形実施形態によるテクスチャ３を示している。この変形例では、突出要素の全て又は幾つかは、０．０５ｍｍ〜０．５ｍｍの辺の長さＣ及び０．０５ｍｍ〜０．５ｍｍの高さＨｐを有する平行六面体８を形成し、テクスチャ中の２つの隣り合う平行六面体８相互間の距離Ｄｐは、０．０５ｍｍ〜０．５ｍｍである。
【００４８】
別の変形実施形態では、テクスチャは、上述した凸状要素６，７，８、若しくは凸状要素６，８、又は凸状要素７，８の組み合わせを有する。
【００４９】
図７は、第１の実施形態の第４の非限定的な変形実施形態によるテクスチャ３を示している。この変形例では、突出要素９は、テクスチャ３中の突出要素相互間に不定の形状及び距離を有する。この変形例により、テクスチャ３の美的外観を向上させることができる。
【００５０】
テクスチャ３の第２の非限定的な実施形態によれば、テクスチャ３は、溝２１の表面（底部２１３の表面、移行領域２１５の表面、壁２１４の表面）中に引っ込められた複数の要素１０（穴とも呼ばれている）を有する。引っ込み要素１０は、溝の表面に設けられた開口部１１及び溝の深さ中に延びる関連の空所１２で構成されている。
【００５１】
かくして、テクスチャ３は、溝の表面に設けられた複数の開口部１１を有し、これら開口部１１は、１平方ミリメートル（ｍｍ2）当たり少なくとも１つの開口部に等しい密度でテクスチャ３全体にわたって分布して配置されると共に０．０３ｍｍ〜１．２ｍｍの等価直径Ｄｔを（溝表面に）有する。
【００５２】
非限定的な一実施形態では、開口部１１は、テクスチャ３の少なくとも３０％を占める。他の非限定的な実施形態によれば、開口部１１は、テクスチャ３の少なくとも５０％を占め、或いはそれどころか７０％超を占める。注目されるように、開口部によるテクスチャの占有率が高ければ高いほど、成形方法により生じるレベルラインの隠蔽度がそれだけ一層良好になると共にこのテクスチャがトレッドの残部（特に、トレッド表面）とコントラストをなす度合いがそれだけ一層良好になる。
【００５３】
開口部１１は、引き続き溝２１の深さ中に延びて空所１２を形成している。
【００５４】
これら空所１２の作用効果は、テクスチャ３に当たる多量の入射光線を「捕捉」することにある。具体的に説明すると、空所１２が溝２１中に引っ込められているので、テクスチャに対する機械的攻撃、例えば石に対する擦りの衝撃度は、突出部の場合よりも低い。この第２の実施形態では、テクスチャ３（「ベルベット」と呼ばれている）により、「ベルベット」タイプの視覚的外観を得ることができる。と言うのは、空所が光を吸収し、かくして溝２１を黒くするからである。溝の視覚的作用効果が向上する。
【００５５】
非限定的な一実施形態では、キャビティ１２の全て又は幾つかは、少なくとも０．１ｍｍに等しい深さを有する。非限定的な一変形実施形態では、空所１２の全て又は幾つかは、０．２ｍｍ〜０．６ｍｍの深さを有する。これにより、テクスチャ３に当たった多量の入射光線がこのテクスチャによって捕捉されるようにし、そして、空所の深さが制限されるので、これ又、溝２１の機械的強度が過度に低下するのを阻止する。
【００５６】
図８は、この第２の実施形態の第１の非限定的な変形例に従ってテクスチャ３を示している。この変形例では、空所１２の全て又は幾つかは、溝２１の深さ中に延びて溝２１の表面上に至る円錐の形をしており、円形開口部１１が形成されている。かくして、空所１２は、深さにつれて減少する断面積を有する。これにより、トレッド２の残部に対するテクスチャ３及びかくして溝２１のコントラスト度が向上する。注目されるように、この変形例では、キャビティ１２の開口部１１は、互いに接触していない。開口部１１は、中間領域１３によって互いに隔てられている。さらに、開口部１１は、溝２１の表面全体にわたって規則的に分布して設けられており、テクスチャ３中の各開口部相互間の距離ｄは、全体としてほぼ同じである。
【００５７】
図９は、図８のテクスチャの引っ込み要素１０の空所１２の拡大図である。非限定的な一実施形態では、空所の全て又は幾つかは、断面で見て、テクスチャ３に垂直な方向Ｚに対して１０°〜６０°の角度βをなす少なくとも１つの壁１４を有する。
【００５８】
光線が空所１２の壁１４に当たるたびに、この光線は、この壁１４によって反射される。光線の反射方向は、この光線の初期の方向及び壁１４の入射角度で決まる。かくして、この初期の方向及びこの入射角度に応じて、光線を空所の別の壁１４に向かって送ることができる。これとは対照的に、光線を空所の外側に送ることができ、例えば、観察者の方へ直接送ることができる。第１の場合、光線は、空所内で「失われ」、もはや観察者には知覚できないことになる。第２の場合、観察者は、光線を知覚することができ、すると、テクスチャは、明るくなり、かくしてトレッドの残部とのコントラストの度合いが低くなるように見えることが可能である。１０°〜６０°の角度βをなす少なくとも１つの壁１４を有する空所１２を選択することにより、空所１２に入った光線の大部分が空所内における多数回の反射の効果によりこの空所によって吸収されることになる。これにより、タイヤの残部（特に、サイドウォール又はトレッド表面）に対するテクスチャ３（及び特に溝２１）のコントラストが向上する一方で、空所によるテクスチャの同一の占有率が保たれる。さらに、この壁の傾斜により、テクスチャの強度は、特に繰り返し石に当たって擦れた場合、全体として向上する。
【００５９】
かくして、説明したトレッド２は、自動車用のゴム材料で作られたタイヤ１中に組み込まれるのに適している。自動車は、任意形式の動力化された車両、例えば車又は重量物運搬車両を意味している。
【００６０】
かくして、タイヤ１は、トレッド２を有し、トレッド２は、トレッド表面２０及び複数の溝２１を有し、少なくとも１本の溝は、断面で見て、トレッド表面２０のところに位置する完全に開いた溝部分２１０及びトレッド表面２０のところに位置する完全に又は部分的に閉じられた部溝部分２１１を備える全体として波状に起伏した形状を有する。開き溝部分２１０は、トレッド内に位置したコントラストをなすテクスチャ３を有し、テクスチャ３は、溝の表面から突き出た又は溝の表面中に引っ込められた複数の要素を有する。
【００６１】
本発明は、説明すると共に図示した実施例には限定されず、本発明の範囲から逸脱することなくこれら実施例の種々の改造例を想到することができる。
【００６２】
かくして、別の非限定的な変形実施形態によれば、図５の薄板７は、不連続であっても良い。薄板は、これら薄板相互間に平らな部分を有する。これら薄板は、これら薄板相互間に断面積の差を有しても良い。加うるに、薄板は、特にこれらの長さに沿って湾曲部又は山形部を有しても良い。これら薄板は又、漸変する長さを有しても良い。
【００６３】
かくして、別の変形実施形態によれば、開口部１１は、円形、正方形又は多角形（例えば、六角形）の形状を有しても良く、対応の空所１２は、円筒形、平行六面体又は多角形の形状を有しも良い。これら２つの後者の構造（正方形又は多角形）により、開口部１１を互いに対して容易に組織化し又は整然と並べてこれら開口部相互間に中間領域１３の領域を制限することができる。かかる開口部の形状により、開口部の一貫した占有率を達成することが容易である。
【００６４】
かくして、説明した本発明は、特に以下の利点を有する。
‐テクスチャ３により、溝２１内のレベルラインを隠すことができる。
‐テクスチャ３により（このテクスチャが突出した要素及び／又は引っ込み要素を有しているかどうかとは無関係に）、光を吸収すると同時に、かくして、溝２１にトレッド２の残部と比較してより黒い外観を与えることができる。これにより、トレッドの残部に対する溝２１のコントラストが向上する。
‐テクスチャ３により、溝２１のところに「ベルベット」タイプの視覚的外観を得ることができ、これは、溝２１内にコントラスト及び深さの作用効果を提供し、これら溝が観察者にとって深く見えるようになる。
【図１】
2017507076.tif 000003
【図２】
2017507076.tif 000004
【図３】
2017507076.tif 000005
【図４】
2017507076.tif 000006
【図５】
2017507076.tif 000007
【図６】
2017507076.tif 000008
【図７】
2017507076.tif 000009
【図８】
2017507076.tif 000010
【図９】
2017507076.tif 000011
【国際調査報告】
2017507076.tif 000012
2017507076.tif 000013
2017507076.tif 000014
2017507076.tif 000015